(57)【要約】【課題】  複数の記録層を有する情報記録媒体であっても、より簡便且つ高精度に情報の記録又は再生を行うことを可能とする。【解決手段】  情報記録媒体（１００）は、（ｉ）第１レーザ光の第１波長に対応される第１トラックピッチに基づいて、記録情報を記録又は再生することが可能な第１記録層（ＢＤ）と、（ｉｉ）第２レーザ光の第２波長に対応される第２トラックピッチに基づいて、記録情報を記録又は再生することが可能な第２記録層（ＤＶＤ）とを少なくとも備え、一方の記録層において、記録情報を記録又は再生するためのクロック情報、又はアドレス情報を検出可能なガイドトラック（ＧＴ）が形成されている。【選択図】  図３
2007048404.tif 000002
【特許請求の範囲】
【請求項１】
第１レーザ光の第１波長に対応される第１トラックピッチに基づいて、第１情報を含む記録情報を記録又は再生することが可能な第１記録層と、
第２レーザ光の第２波長に対応される第２トラックピッチに基づいて、第２情報を含む記録情報を記録又は再生することが可能な第２記録層と
を少なくとも備え、
前記第１記録層、及び前記第２記録層のうち一方の記録層において、前記記録情報を記録又は再生するためのクロック情報、又はアドレス情報を検出可能なガイドトラックが形成されていることを特徴とする情報記録媒体。
【請求項２】
前記第１記録層、及び前記第２記録層のうち他方の記録層は、（ｉ）前記ガイドトラック、及び（ｉｉ）前記第１トラックピッチと、前記第２トラックピッチとの長さの比に基づいて、前記記録情報を記録又は再生することが可能であることを特徴とする請求項１に記載の情報記録媒体。
【請求項３】
前記一方の記録層の記録トラックにおける記録密度と、前記第１記録層、及び前記第２記録層のうち他方の記録層の記録トラックにおける記録密度との比は、１対１と比較して、前記第１トラックピッチと、前記第２トラックピッチとの長さの比の逆数に近づけることが可能であることを特徴とする請求項１又は２に記載の情報記録媒体。
【請求項４】
前記一方の記録層の記録トラックにおける記録密度と、前記第１記録層、及び前記第２記録層のうち他方の記録層の記録トラックにおける記録密度との比は、１対１と比較して、前記第１トラックピッチと、前記第２トラックピッチとの長さの比の逆数の整数倍（２以上の自然数倍）に近づけることが可能であることを特徴とする請求項１又は２に記載の情報記録媒体。
【請求項５】
前記一方の記録層の記録トラックにおける記録密度と、前記第１記録層、及び前記第２記録層のうち他方の記録層の記録トラックにおける記録密度との比は、１対１と比較して、前記第１トラックピッチと、前記第２トラックピッチとの長さの比の逆数の２乗に近づけることが可能であることを特徴とする請求項１又は２に記載の情報記録媒体。
【請求項６】
前記一方の記録層の記録トラックにおける記録密度と、前記第１記録層、及び前記第２記録層のうち他方の記録層の記録トラックにおける記録密度との比は、（ｉ）前記第１トラックピッチと、前記第２トラックピッチとの長さの比の逆数、（ｉｉ）前記長さの比の逆数の整数倍（２以上の自然数倍）、又は（ｉｉｉ）前記長さの比の逆数の２乗と略等しいことを特徴とする請求項１又は２に記載の情報記録媒体。
【請求項７】
前記記録密度は、（ｉ）記録トラックにおける、単位長さ当たりの記録可能な情報量を示す記録線密度、及び（ｉｉ）記録トラックにおける、単位時間当たりに記録又は再生することが可能な長さを示す記録線速度のうち少なくとも一つによって示されることを特徴とする請求項３から６のうちいずれか一項に記載の情報記録媒体。
【請求項８】
前記一方の記録層の記録トラックにおける一の記録線分と、前記第１記録層、及び前記第２記録層のうち他方の記録層の記録トラックにおける他の記録線分とは、前記第１トラックピッチと、前記第２トラックピッチとの長さの比に基づいて、一義的に対応させることが可能であることを特徴とする請求項１から７のうちいずれか一項に記載の情報記録媒体。
【請求項９】
前記第１記録層、及び前記第２記録層のうち他方の記録層の記録トラックは、前記記録情報をリンキングするためのリンキング専用領域を有することを特徴とする請求項１から８のうちいずれか一項に記載の情報記録媒体。
【請求項１０】
前記第１記録層、及び前記第２記録層は、所定単位に基づいて、記録又は再生することが可能であることを特徴とする請求項１から９のうちいずれか一項に記載の情報記録媒体。
【請求項１１】
前記第１記録層、及び前記第２記録層は、略同時に、記録又は再生することが可能であることを特徴とする請求項１から１０のうちいずれか一項に記載の情報記録媒体。
【請求項１２】
前記一方の記録層のトラックピッチは、略青色から略青紫色の光の波長を光学的特性として保持するレーザ光に対応することを特徴とする請求項１から１１のうちのいずれか一項に記載の情報記録媒体。
【請求項１３】
前記第１記録層、及び前記第２記録層のうち他方の記録層のトラックピッチは、略赤色の光の波長を光学的特性として保持するレーザ光に対応することを特徴とする請求項１から１２のうちのいずれか一項に記載の情報記録媒体。
【請求項１４】
前記第１記録層、及び前記第２記録層のうち少なくとも一つは、前記一方の記録層において、前記ガイドトラックが形成されているか否かを示す識別情報を記録可能な識別情報記録エリアを備えることを特徴とする請求項１から１３のうちいずれか一項に記載の情報記録媒体。
【請求項１５】
第１レーザ光の第１波長に対応される第１トラックピッチに基づいて、第１情報を含む記録情報を記録又は再生することが可能な第１記録層と、第２レーザ光の第２波長に対応される第２トラックピッチに基づいて、第２情報を含む記録情報を記録又は再生することが可能な第２記録層とを少なくとも備え、前記第１記録層、及び前記第２記録層のうち一方の記録層において、前記記録情報を記録又は再生するためのクロック情報、又はアドレス情報を検出可能なガイドトラックが形成されている情報記録媒体に対して、前記第１記録層を透過したレーザ光によって、少なくとも前記第２記録層に対して前記第２情報を含む記録情報の記録又は再生を行う情報処理装置であって、
前記ガイドトラックに基づいて、少なくとも前記一方の記録層におけるトラッキング制御を行うトラッキング制御手段と、
（ｉ）前記トラッキング制御、及び（ｉｉ）前記第１トラックピッチと、前記第２トラックピッチとの長さの比に基づいて、前記第１記録層、及び前記第２記録層のうち他方の記録層に対して前記第２情報を含む記録情報の記録又は再生を行う処理手段と
を備えることを特徴とする情報処理装置。
【請求項１６】
第１レーザ光の第１波長に対応される第１トラックピッチに基づいて、第１情報を含む記録情報を記録又は再生することが可能な第１記録層と、第２レーザ光の第２波長に対応される第２トラックピッチに基づいて、第２情報を含む記録情報を記録又は再生することが可能な第２記録層とを少なくとも備え、前記第１記録層、及び前記第２記録層のうち一方の記録層において、前記記録情報を記録又は再生するためのクロック情報、又はアドレス情報を検出可能なガイドトラックが形成されている情報記録媒体に対して、前記第１記録層を透過したレーザ光によって、少なくとも前記第２記録層に対して前記第２情報を含む記録情報の記録又は再生を行う情報処理方法であって、
前記ガイドトラックに基づいて、少なくとも前記一方の記録層におけるトラッキング制御を行うトラッキング制御工程と、
（ｉ）前記トラッキング制御、及び（ｉｉ）前記第１トラックピッチと、前記第２トラックピッチとの長さの比に基づいて、前記第１記録層、及び前記第２記録層のうち他方の記録層に対して前記第２情報を含む記録情報の記録又は再生を行う処理工程と
を備えることを特徴とする情報処理方法。
【請求項１７】
請求項１５に記載の情報処理装置に備えられたコンピュータを制御する処理制御用のコンピュータプログラムであって、該コンピュータを、前記トラッキング制御手段、及び前記処理手段のうち少なくとも一部として機能させることを特徴とするコンピュータプログラム。
【発明の詳細な説明】
【技術分野】
【０００１】
本発明は、例えば２層型のＤＶＤ、ＣＤ（Compact Disc）等の多層型の情報記録媒体、当該情報記録媒体に情報を記録する、情報を再生するためのＤＶＤレコーダ等の記録又は再生を行う情報処理装置及び方法、並びに、記録又は再生を行う処理制御用のコンピュータプログラムの技術分野に関する。
【背景技術】
【０００２】
例えば、ＣＤ−ＲＯＭ（Compact Disc−Read Only Memory）、ＣＤ−Ｒ（Compact Disc−Recordable）、ＤＶＤ−ＲＯＭ、ＤＶＤ−Ｒ、ＤＶＤ−ＲＷ、及び、ＤＶＤ＋Ｒ等の情報記録媒体では、特許文献１、２等に記載されているように、同一基板上に複数の記録層が積層、または貼り合わされてなる多層型若しくはデュアルレイヤ型の光ディスク等の情報記録媒体も開発されている。そして、このようなデュアルレイヤ型、即ち、２層型の光ディスクに記録を行う、ＤＶＤレコーダ等の情報記録装置では、レーザ光の照射側から見て最も手前側（即ち、光ピックアップに近い側）に位置する記録層（本願では適宜「Ｌ０層」と称する）に対して記録用のレーザ光を集光することで、Ｌ０層に対して情報が加熱などによる非可逆変化記録方式や書換え可能方式で記録される。他方、Ｌ０層等を介して、レーザ光の照射側から見てＬ０層の奥側（即ち、光ピックアップから遠い側）に位置する記録層（本願では適宜「Ｌ１層」と称する）に対して該レーザ光を集光することで、Ｌ１層に対して情報が加熱などによる非可逆変化記録方式や書換え可能方式で記録される。尚、一般的に、記録型の情報記録媒体に有される記録層においては、（ｉ）トラッキング制御（トラッキングサーボ）に基づいて、記録用のレーザ光を誘導するために、例えば半径方向に蛇行（ウォブル：wobble）している案内溝、所謂、グルーブトラック（ガイドトラック）が形成されている。と共に、（ｉｉ）トラッキング制御に基づいて、記録位置を特定するアドレス情報を保持するために、例えばランドプリピット（LPP：Land Pre-Pit）がランドトラックに形成されていたり、ウォブル信号にアドレス情報が重畳されていたりする。更に、ガイドトラックが形成され、例えば赤色ＬＤ（赤色Laser Diode）から照射されるレーザ光によって、トラッキング制御を行うための記録層、即ち、トラッキング制御専用のＬ０層と、同じく赤色ＬＤから照射されるレーザ光によって、記録又は再生を行うＬ１層とを備える情報記録媒体も提案されている。
【０００３】
また、特許文献３に掲載されているように、例えばブルーレイ（Blue-ray）、赤色レーザ光、赤外光等の２種類以上の異なる波長のレーザ光によって夫々記録可能な記録層を少なくとも２つ備えた、所謂、ハイブリッド型（Hybrid Type）の光ディスク等の情報記録媒体において、中間層（以下、適宜「波長選択層」と称す）を２層間に挿入させる手法が提案されている。この中間層は、相対的に短い一の波長のレーザ光に対する光反射率は相対的に高く、相対的に長い他の波長のレーザ光に対する光反射率は相対的に低いという、所謂、波長選択性を保持する。従って、一の波長のレーザ光を射出する再生装置でも、他の波長のレーザ光を射出する再生装置でも、当該記録媒体を再生できるので、再生互換性を維持することが可能となる。具体的には、特許文献４に掲載されているように、例えばＤＶＤ−ＲＯＭ等の再生専用型の記録層と、例えばＤＶＤ−Ｒ等の記録型の記録層とを備えたハイブリッド型の光ディスクも考案されている。また、非特許文献１に掲載されているように、ＣＤ−ＲＯＭとＢＤ−ＲＯＭとを備えたハイブリッド型の光ディスクも考案されている。
【０００４】
【特許文献１】特開２０００−３１１３４６号公報
【特許文献２】特開２００１−２３２３７号公報
【特許文献３】特開平９−２３７４３８号公報
【特許文献４】特開２００１−１７６１２０
【非特許文献１】日経エレクトロニクス、[online]、２００４年１０月１８日、[２００５年３月４日検索]、インターネット＜URL：http：//nikkeibp.jp/wcs/leaf/CID/onair/jp/jp_print/337888＞
【発明の開示】
【発明が解決しようとする課題】
【０００５】
しかしながら、このような２層型の情報記録媒体を製造する際には、Ｌ０層とＬ１層とが別々のスタンパによって形成され、夫々の記録層が貼り合わせ、又は積層される。従って、例えば蒸着工程やスパッタリング工程を含む製造工程において、物理的な各種のパラメータの調整が複雑となってしまい、製造コストが高くなってしまう可能性があるという技術的な問題点を有している。
【０００６】
或いは、Ｌ０層及びＬ１層において、貼り合わせ誤差によって偏芯が生じてしまう可能性がある。また、Ｌ０層とＬ１層とが別々のスタンパによって夫々作成されているため、夫々の記録層におけるトラックピッチに偏差が生じてしまったり、夫々の記録層における基準アドレスに対する絶対的な半径位置に偏差、所謂、寸法誤差が生じてしまう可能性がある。これらの原因によって、Ｌ０層の記録領域に、例えばプリフォーマットアドレス等のアドレス情報によって対応されるＬ１層の記録領域の半径位置にズレが生じてしまう。従って、例えば記録要件（Recording Order）、即ち、記録済みの状態のＬ０層を透過した記録用のレーザ光が照射されなければならないという要件を満たした高精度の記録動作の実現することが困難となってしまうという技術的な問題点を有している。
【０００７】
本発明は、例えば上述した従来の問題点に鑑みなされたものであり、例えば複数の記録層を有する情報記録媒体であっても、より簡便且つ高精度に情報の記録又は再生を行うことを可能とならしめる情報記録媒体、記録又は再生を行う情報処理装置及び方法、並びにコンピュータをこのような記録又は再生を行う情報処理装置として機能させるコンピュータプログラムを提供することを課題とする。
【課題を解決するための手段】
【０００８】
上記課題を解決するために、請求項１に記載の情報記録媒体は、第１レーザ光の第１波長に対応される第１トラックピッチに基づいて、第１情報を含む記録情報を記録又は再生することが可能な第１記録層（ＢＤ）と、第２レーザ光の第２波長に対応される第２トラックピッチに基づいて、第２情報を含む前記記録情報を記録又は再生することが可能な第２記録層（ＤＶＤ）とを少なくとも備え、前記第１記録層、及び前記第２記録層のうち一方の記録層（ガイド層）において、前記記録情報を記録又は再生するためのクロック情報、又はアドレス情報を検出可能なガイドトラックが形成されている。
【０００９】
上記課題を解決するために、請求項１５に記載の情報処理装置は、第１レーザ光の第１波長に対応される第１トラックピッチに基づいて、第１情報を含む記録情報を記録又は再生することが可能な第１記録層と、第２レーザ光の第２波長に対応される第２トラックピッチに基づいて、第２情報を含む記録情報を記録又は再生することが可能な第２記録層とを少なくとも備え、前記第１記録層、及び前記第２記録層のうち一方の記録層（ガイド層）において、前記記録情報を記録又は再生するためのクロック情報、又はアドレス情報を検出可能なガイドトラックが形成されている情報記録媒体に対して、前記第１記録層（Ｌ０層）を透過したレーザ光によって、少なくとも前記第２記録層（Ｌ１層）に対して前記第２情報を含む記録情報の記録又は再生を行う情報処理装置であって、前記ガイドトラックに基づいて、少なくとも前記一方の記録層（ガイド層）におけるトラッキング制御を行うトラッキング制御手段と、（ｉ）前記トラッキング制御、及び（ｉｉ）前記第１トラックピッチと、前記第２トラックピッチとの長さの比に基づいて、前記第１記録層、及び前記第２記録層のうち他方の記録層に対して前記第２情報を含む記録情報記録又は再生を行う処理手段とを備える。
【００１０】
上記課題を解決するために、請求項１６に記載の情報処理方法は、第１レーザ光の第１波長に対応される第１トラックピッチに基づいて、第１情報を含む記録情報を記録又は再生することが可能な第１記録層と、第２レーザ光の第２波長に対応される第２トラックピッチに基づいて、第２情報を含む前記記録情報を記録又は再生することが可能な第２記録層とを少なくとも備え、前記第１記録層、及び前記第２記録層のうち一方の記録層（ガイド層）において、前記記録情報を記録又は再生するためのクロック情報、又はアドレス情報を検出可能なガイドトラックが形成されている情報記録媒体に対して、前記第１記録層（Ｌ０層）を透過したレーザ光によって、少なくとも前記第２記録層（Ｌ１層）に対して前記第２情報を含む記録情報の記録又は再生を行う情報処理方法であって、前記ガイドトラックに基づいて、少なくとも前記一方の記録層（ガイド層）におけるトラッキング制御を行うトラッキング制御工程と、（ｉ）前記トラッキング制御、及び（ｉｉ）前記第１トラックピッチと、前記第２トラックピッチとの長さの比に基づいて、前記第１記録層、及び前記第２記録層のうち他方の記録層に対して前記第２情報を含む記録情報の記録又は再生を行う処理工程とを備える。
【００１１】
上記課題を解決するために、請求項１７に記載のコンピュータプログラムは、請求項１５に記載の情報処理装置に備えられたコンピュータを制御する処理制御用のコンピュータプログラムであって、該コンピュータを、前記トラッキング制御手段、及び前記処理手段のうち少なくとも一部として機能させる。
【００１２】
本発明の作用及び他の利得は次に説明する実施の形態から明らかにされよう。
【発明を実施するための最良の形態】
【００１３】
以下、発明を実施するための最良の形態としての本発明の実施形態に係る情報記録媒体、情報処理装置及び方法、並びに、コンピュータプログラムについて順に説明する。
【００１４】
（情報記録媒体に係る実施形態）
以下、本発明の実施形態に係る情報記録媒体について説明する。
【００１５】
本発明の情報記録媒体に係る実施形態は、第１レーザ光の第１波長に対応される第１トラックピッチに基づいて、第１情報を含む記録情報を記録又は再生することが可能な第１記録層（ＢＤ）と、第２レーザ光の第２波長に対応される第２トラックピッチに基づいて、第２情報を含む記録情報を記録又は再生することが可能な第２記録層（ＤＶＤ）とを少なくとも備え、前記第１記録層、及び前記第２記録層のうち一方の記録層（ガイド層）において、前記記録情報を記録又は再生するためのクロック情報、又はアドレス情報を検出可能なガイドトラックが形成されている。
【００１６】
本発明の情報記録媒体に係る実施形態によれば、例えばブルーレイディスク（BD：Blu-ray Disc）やＨＤ−ＤＶＤ（High Definition−ＤＶＤ）等の第１記録層と、例えばＤＶＤ等の第２記録層とを少なくとも備える。先ず、第１記録層は、例えば青色ＬＤ（青色Laser Diode）における波長である第１波長の第１レーザ光により、当該第１波長に対応される第１トラックピッチに基づいて、第１情報を含む記録情報を記録又は再生することが可能な、例えば信号面を有する。他方、第２記録層は、例えば赤色ＬＤ（赤色Laser Diode）における波長である第２波長の第２レーザ光により、当該第２波長に対応される第２トラックピッチに基づいて、第２情報を含む前記記録情報を記録又は再生することが可能な、例えば信号面を有する。
【００１７】
特に、本実施形態によれば、第１記録層、及び第２記録層のうち一方の記録層は、記録情報を記録又は再生するためのクロック情報、又はアドレス情報を検出可能なガイドトラックが形成されている。従って、例えばグルーブトラック等のガイドトラックを複数の記録層に夫々形成する必要が殆ど又は完全にない。この結果、複数の記録層を備える情報記録媒体の構造を簡略化することが可能であるので、例えば蒸着工程やスパッタリング工程を含む製造工程において、物理的な各種のパラメータの調整を簡略化又は省略させて、製造コストが低くすることが可能である。
【００１８】
加えて、例えば複数の記録層が別々のスタンパによって形成され、複数の記録層が貼り合わせられ、又は積層されて製造された、多層型の情報記録媒体に対して、（ｉ）貼り合わせ誤差によって生じる偏芯や、（ｉｉ）複数の記録層におけるトラックピッチの偏差や、（ｉｉｉ）複数の記録層における基準アドレスに対する絶対的な半径位置に偏差、所謂、寸法誤差による影響を殆ど又は完全に受けることがない。この結果、一つ（一方）の記録層に形成されたガイドトラックを基準として、複数の記録層における情報の記録又は再生を、偏芯やトラックピッチの偏差等の物理的誤差の影響を受けることなく、高精度に行うことが可能である。
【００１９】
更に、加えて、例えば青色ＬＤにおける波長である第１波長の第１レーザ光により、例えば第１記録層に形成されたガイドトラックにおいて、トラッキング制御を行なわしめると共に、第１情報の記録又は再生を行わしめる。と同時に、又は、相前後して、例えば赤色ＬＤにおける波長である第２波長の第２レーザ光により、第２情報の記録又は再生を行わしめる。この結果、複数種類のレーザ光による、情報の記録又は再生を、略（実質的に）同時に又は相前後して、行うことが可能である。
【００２０】
本発明の情報記録媒体に係る実施形態の一の態様では、前記第１記録層、及び前記第２記録層のうち他方の記録層は、（ｉ）前記ガイドトラック、及び（ｉｉ）前記第１トラックピッチと、前記第２トラックピッチとの長さの比に基づいて、前記記録情報を記録又は再生することが可能である。
【００２１】
この態様によれば、（ｉ）一方の記録層に形成されたガイドトラック、及び（ｉｉ）第１トラックピッチと、第２トラックピッチとの長さの比に基づいて、少なくとも他方の記録層における情報の記録又は再生を、偏芯やトラックピッチの偏差等の物理的誤差の影響を受けることなく、より高精度に行うことが可能である。
【００２２】
本発明の情報記録媒体に係る実施形態の他の態様では、前記一方の記録層（ガイド層）の記録トラックにおける記録密度と、前記第１記録層、及び前記第２記録層のうち他方の記録層の記録トラックにおける記録密度との比は、１対１と比較して、前記第１トラックピッチと、前記第２トラックピッチとの長さの比の逆数に近づけることが可能である。
【００２３】
この態様によれば、第１トラックピッチと、第２トラックピッチとの長さの比の逆数に近づけられた、一方の記録層の記録トラックにおける記録密度と、他方の記録層の記録トラックにおける記録密度との比に基づいて、少なくとも他方の記録層における情報の記録又は再生を、偏芯やトラックピッチの偏差等の物理的誤差の影響を受けることなく、より高精度に行うことが可能である。
【００２４】
本発明の情報記録媒体に係る実施形態の他の態様では、前記一方の記録層（ガイド層）の記録トラックにおける記録密度と、前記第１記録層、及び前記第２記録層のうち他方の記録層の記録トラックにおける記録密度との比は、１対１と比較して、前記第１トラックピッチと、前記第２トラックピッチとの長さの比の逆数の整数倍（２以上の自然数倍）に近づけることが可能である。
【００２５】
この態様によれば、第１トラックピッチと、第２トラックピッチとの長さの比の逆数の整数倍（２以上の自然数倍）に近づけられた、一方の記録層の記録トラックにおける記録密度と、他方の記録層の記録トラックにおける記録密度との比に基づいて、少なくとも他方の記録層における情報の記録又は再生を、偏芯やトラックピッチの偏差等の物理的誤差の影響を受けることなく、より高精度に行うことが可能である。
【００２６】
本発明の情報記録媒体に係る実施形態の他の態様では、前記一方の記録層（ガイド層）の記録トラックにおける記録密度と、前記第１記録層、及び前記第２記録層のうち他方の記録層の記録トラックにおける記録密度との比は、１対１と比較して、前記第１トラックピッチと、前記第２トラックピッチとの長さの比の逆数の２乗に近づけることが可能である。
【００２７】
この態様によれば、第１トラックピッチと、第２トラックピッチとの長さの比の逆数の２乗に近づけられた、一方の記録層の記録トラックにおける記録密度と、他方の記録層の記録トラックにおける記録密度との比に基づいて、少なくとも他方の記録層における情報の記録又は再生を、偏芯やトラックピッチの偏差等の物理的誤差の影響を受けることなく、より高精度に行うことが可能である。
【００２８】
本発明の情報記録媒体に係る実施形態の他の態様では、前記一方の記録層（ガイド層）の記録トラックにおける記録密度と、前記第１記録層、及び前記第２記録層のうち他方の記録層の記録トラックにおける記録密度との比は、（ｉ）前記第１トラックピッチと、前記第２トラックピッチとの長さの比の逆数、（ｉｉ）前記長さの比の逆数の整数倍（２以上の自然数倍）、又は（ｉｉｉ）前記長さの比の逆数の２乗と略等しい。
【００２９】
この態様によれば、第１トラックピッチと、第２トラックピッチとの長さの比の（ｉ）逆数、（ｉｉ）逆数の整数倍、（ｉｉｉ）逆数の２乗と略（実質的に）等しい、一方の記録層の記録トラックにおける記録密度と、他方の記録層の記録トラックにおける記録密度との比に基づいて、少なくとも他方の記録層における情報の記録又は再生を、偏芯やトラックピッチの偏差等の物理的誤差の影響を受けることなく、更に高精度に行うことが可能である。
【００３０】
上述した記録密度の態様では、前記記録密度は、（ｉ）記録トラックにおける、単位長さ当たりの記録可能な情報量を示す記録線密度、及び（ｉｉ）記録トラックにおける、単位時間当たりに記録又は再生することが可能な長さを示す記録線速度のうち少なくとも一つによって示されるように構成してもよい。
【００３１】
このように構成すれば、記録線密度、及び記録線速度によって示される記録密度に基づいて、少なくとも他方の記録層における情報の記録又は再生を、偏芯やトラックピッチの偏差等の物理的誤差の影響を受けることなく、更により高精度に行うことが可能である。
【００３２】
本発明の情報記録媒体に係る実施形態の他の態様では、前記一方の記録層（ガイド層）の記録トラックにおける一の記録線分と、前記第１記録層、及び前記第２記録層のうち他方の記録層の記録トラックにおける他の記録線分とは、前記第１トラックピッチと、前記第２トラックピッチとの長さの比に基づいて、一義的に対応させることが可能である。
【００３３】
この態様によれば、一の記録線分と、当該一の記録線分に一義的に対応される他の記録線分に基づいて、少なくとも他方の記録層における情報の記録又は再生を、偏芯やトラックピッチの偏差等の物理的誤差の影響を受けることなく、更により高精度に行うことが可能である。
【００３４】
本発明の情報記録媒体に係る実施形態の他の態様では、前記第１記録層、及び前記第２記録層のうち他方の記録層の記録トラックは、前記記録情報をリンキングするためのリンキング専用領域を有する。
【００３５】
この態様によれば、リンキング専用領域において、複数の記録情報が適切にリンキングされるので、少なくとも他方の記録層における情報の記録又は再生を、更により高精度に行うことが可能である。
【００３６】
本発明の情報記録媒体に係る実施形態の他の態様では、前記第１記録層、及び前記第２記録層は、所定単位（セクタやＥＣＣブロック）に基づいて、記録又は再生することが可能である。
【００３７】
この態様によれば、所定単位（例えばセクタやＥＣＣブロック）に基づいて、第１及び第２記録層における情報の記録又は再生を、更により高精度に行うことが可能である。
【００３８】
本発明の情報記録媒体に係る実施形態の他の態様では、前記第１記録層、及び前記第２記録層は、略同時に、記録又は再生することが可能である。
【００３９】
この態様によれば、複数種類のレーザ光による、情報の記録又は再生を、略（実質的に）同時に、行うことが可能である。
【００４０】
本発明の情報記録媒体に係る実施形態の他の態様では、前記一方の記録層（ガイド層）のトラックピッチは、略青色から略青紫色の光の波長を光学的特性として保持するレーザ光に対応する。
【００４１】
この態様によれば、一方の記録層（ガイド層）として、ＢＤ−ＲＯＭ／Ｒ／ＲＷや、ＨＤ−ＤＶＤ等の記録層を適用できる。
【００４２】
本発明の情報記録媒体に係る実施形態の他の態様では、前記第１記録層、及び前記第２記録層のうち他方の記録層のトラックピッチは、略赤色の光の波長を光学的特性として保持するレーザ光に対応する。
【００４３】
この態様によれば、他方の記録層として、ＣＤ−ＲＯＭやＤＶＤ−ＲＯＭ等の記録層を適用できる。
【００４４】
本発明の情報記録媒体に係る実施形態の他の態様では、前記第１記録層、及び前記第２記録層のうち少なくとも一つは、前記一方の記録層（ガイド層）において、前記ガイドトラックが形成されているか否かを示す識別情報（フラグ）を記録可能な識別情報記録エリアを備える。
【００４５】
この態様によれば、例えばＤＶＤレコーダー等の情報処理装置は、記録又は再生対象となる情報記録媒体においてガイドトラックが形成されているかを、迅速且つ的確に識別して、当該情報記録媒体を迅速且つ的確に記録又は再生することが可能となる。
【００４６】
（情報処理装置の実施形態）
以下、本発明の実施形態に係る情報処理装置について説明する。
【００４７】
本発明の情報処理装置に係る実施形態は、第１レーザ光の第１波長に対応される第１トラックピッチに基づいて、第１情報を含む記録情報を記録又は再生することが可能な第１記録層と、第２レーザ光の第２波長に対応される第２トラックピッチに基づいて、第２情報を含む記録情報を記録又は再生することが可能な第２記録層とを少なくとも備え、前記第１記録層、及び前記第２記録層のうち一方の記録層（ガイド層）において、前記記録情報を記録又は再生するためのクロック情報、又はアドレス情報を検出可能なガイドトラックが形成されている情報記録媒体に対して、前記第１記録層（Ｌ０層）を透過したレーザ光によって、少なくとも前記第２記録層（Ｌ１層）に対して前記第２情報を含む記録情報の記録又は再生を行う情報処理装置であって、前記ガイドトラックに基づいて、少なくとも前記一方の記録層（ガイド層）におけるトラッキング制御を行うトラッキング制御手段と、（ｉ）前記トラッキング制御、及び（ｉｉ）前記第１トラックピッチと、前記第２トラックピッチとの長さの比に基づいて、前記第１記録層、及び前記第２記録層のうち他方の記録層に対して前記第２情報を含む記録情報の記録又は再生を行う処理手段とを備える。
【００４８】
本発明の情報処理装置に係る実施形態によれば、トラッキング制御手段によって、ガイドトラックに基づいて、少なくとも一方の記録層（ガイド層）におけるトラッキング制御が行われる。と同時に、又は、相前後して、記録再生手段によって、第１トラックピッチと、第２トラックピッチとの長さの比に基づいて、他方の記録層に対する記録又は再生が行われる。特に、本発明の情報処理装置は、情報記録装置、情報再生装置、情報記録再生装置を含む趣旨である。
【００４９】
この結果、一方の記録層に形成されたガイドトラックを基準として、他方の記録層における情報の記録又は再生を、偏芯やトラックピッチの偏差等の物理的誤差の影響を受けることなく、高精度に行うことが可能である。
【００５０】
尚、上述した本発明の情報記録媒体に係る実施形態が有する各種態様に対応して、本発明の情報処理装置に係る実施形態も各種態様を採ることが可能である。
【００５１】
（情報処理方法の実施形態）
以下、本発明の実施形態に係る情報処理方法について説明する。
【００５２】
本発明の情報処理方法に係る実施形態は、第１レーザ光の第１波長に対応される第１トラックピッチに基づいて、第１情報を含む記録情報を記録又は再生することが可能な第１記録層と、第２レーザ光の第２波長に対応される第２トラックピッチに基づいて、第２情報を含む前記記録情報を記録又は再生することが可能な第２記録層とを少なくとも備え、前記第１記録層、及び前記第２記録層のうち一方の記録層（ガイド層）において、前記記録情報を記録又は再生するためのクロック情報、又はアドレス情報を検出可能なガイドトラックが形成されている情報記録媒体に対して、前記第１記録層（Ｌ０層）を透過したレーザ光によって、少なくとも前記第２記録層（Ｌ１層）に対して前記第２情報を含む記録情報の記録又は再生を行う情報処理方法であって、前記ガイドトラックに基づいて、少なくとも前記一方の記録層（ガイド層）におけるトラッキング制御を行うトラッキング制御工程と、（ｉ）前記トラッキング制御、及び（ｉｉ）前記第１トラックピッチと、前記第２トラックピッチとの長さの比に基づいて、前記第１記録層、及び前記第２記録層のうち他方の記録層に対して前記第２情報を含む記録情報の記録又は再生を行う処理工程とを備える。
【００５３】
本発明の情報処理方法に係る実施形態によれば、上述した本発明の情報処理装置に係る実施形態が有する各種利益を享受することが可能となる。特に、本発明の情報処理方法は、情報記録方法、情報再生方法、情報記録再生方法を含む趣旨である。
【００５４】
尚、上述した本発明の情報処理装置に係る実施形態が有する各種態様に対応して、本発明の情報処理方法に係る実施形態も各種態様を採ることが可能である。
【００５５】
（コンピュータプログラムの実施形態）
以下、本発明の実施形態に係るコンピュータプログラムについて説明する。
【００５６】
本発明の処理制御用のコンピュータプログラムは、上述した本発明の情報処理装置に係る実施形態（但し、その各種態様を含む）に備えられたコンピュータを制御する処理制御用のコンピュータプログラムであって、該コンピュータを、前記トラッキング制御手段、及び前記処理手段のうち少なくとも一部として機能させる。
【００５７】
本発明に係るコンピュータプログラムの実施形態によれば、当該コンピュータプログラムを格納するＲＯＭ、ＣＤ−ＲＯＭ、ＤＶＤ−ＲＯＭ、ハードディスク等の情報記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報処理装置に係る実施形態を比較的簡単に実現できる。
【００５８】
尚、上述した本発明の情報処理装置に係る実施形態における各種態様に対応して、本発明のコンピュータプログラムに係る各実施形態も各種態様を採ることが可能である。
【００５９】
本実施形態のこのような作用及び他の利得は次に説明する実施例から明らかにされる。
【００６０】
以上説明したように、本発明の情報記録媒体に係る実施形態によれば、第１トラックピッチに基づいて、記録情報を記録又は再生することが可能な第１記録層と、第２トラックピッチに基づいて、記録情報を記録又は再生することが可能な第２記録層（ＤＶＤ）とを備え、一方の記録層（ガイド層）において、ガイドトラックが形成されている。この結果、複数の記録層を備える情報記録媒体の構造を簡略化することが可能であるので、例えば蒸着工程やスパッタリング工程を含む製造工程において、物理的な各種のパラメータの調整を簡略化又は省略させて、製造コストが低くすることが可能である。加えて、一つ（一方）の記録層に形成されたガイドトラックを基準として、複数の記録層における情報の記録又は再生を、偏芯やトラックピッチの偏差等の物理的誤差の影響を受けることなく、高精度に行うことが可能である。更に、複数種類のレーザ光による、情報の記録又は再生を、略（実質的に）同時に又は相前後して、行うことが可能である。
【００６１】
本発明の情報処理装置及び方法に係る実施形態によれば、トラッキング制御手段及び工程、及び処理手段及び工程を備える。この結果、一方の記録層に形成されたガイドトラックを基準として、他方の記録層における情報の記録又は再生を、偏芯やトラックピッチの偏差等の物理的誤差の影響を受けることなく、高精度に行うことが可能である。
【００６２】
また、本発明のコンピュータプログラムに係る実施形態によれば、コンピュータを上述した本発明の情報処理装置に係る実施形態として機能させるので、情報処理装置をして、一方の記録層に形成されたガイドトラックを基準として、他方の記録層における情報の記録又は再生を、偏芯やトラックピッチの偏差等の物理的誤差の影響を受けることなく、高精度に行わしめることが可能である。
【実施例】
【００６３】
以下、本発明の実施例を図面に基づいて説明する。
【００６４】
（１）本発明の情報記録媒体
以下、図１から図６を参照して本発明の情報記録媒体に係る第１実施例について説明を進める。
【００６５】
（１−１）基本構成
先ず、図１を参照して、本発明の情報記録媒体の第１実施例に係る光ディスクの基本構成の概略について説明する。ここに、図１は、本発明の情報記録媒体の第１実施例に係る光ディスク１００の基本構成を示した概略平面図（図１（ａ））、及び、切断面「Ｘ」における該光ディスクの概略断面図（図１（ｂ））である。
【００６６】
図１（ａ）及び図１（ｂ）に示されるように、光ディスク１００は、例えば、ＤＶＤと同じく直径１２ｃｍ程度のディスク本体上の記録面に、センターホール１を中心として、例えばデータエリア等の記録領域が設けられている。但し、この形状や大きさはこれに限定されるものではなく、様々な大きさ及び様々な形状を採用しても良いことは言うまでもない。また、光ディスク１００の例えば透明基板に、本発明の第１記録層に係るＬ０層、並びに、本発明の第２記録層に係るＬ１層等の記録層が積層されている。更に、この記録層の各記録領域には、例えば、センターホール１を中心にスパイラル状或いは同心円状に、例えば、グルーブトラック及びランドトラック等のトラック１０が交互に設けられている。更に、また、このトラック１０上には、データがＥＣＣブロック１１という単位で分割されて記録される。ＥＣＣブロック１１は、記録情報がエラー訂正可能なデータ管理単位である。
【００６７】
第１実施例に係る光ディスク１００は、図１（ｂ）に示されるように、例えば２層型等の記録層が複数積層された多層型の情報記録媒体である。具体的には、例えば２種類のレーザ光ＬＢ１及びＬＢ２が照射される側（図１（ｂ）中の下側）から見て、ポリカーボネート層１０４、例えばＢＤ（Blu-ray Disc）やＨＤ−ＤＶＤ（High Definition−ＤＶＤ）等の第１記録層１０１、中間層１０３、例えばＣＤやＤＶＤ等の第２記録層１０２、及びポリカーボネート層１０５を備えて構成されている。そして、多層型の光ディスク１００の記録や再生時には、図１（ｂ）中、下側から上側に向かって照射されるレーザ光の集光位置（合焦点位置）をいずれの記録層に合わせるかに応じて、Ｌ０層、又はＬ１層における記録や再生が行なわれる。
【００６８】
より具体的には、第１記録層１０１は、記録パワー又は再生パワーを保持するレーザ光ＬＢ１によって、記録マークを、記録又は再生可能な記録層である。ここに、第１実施例に係るレーザ光ＬＢ１は、例えば波長が４０５ｎｍであるブルーレイ（Blue-ray）等の相対的に短い波長のレーザ光である。尚、第１記録層１０１の具体例としては、再生専用型のＢＤ−ＲＯＭでもよいし、追記型のＢＤ−Ｒでもよいし、書換型のＢＤ−ＲＷでもよい。また、第２記録層１０２は、記録パワー又は再生パワーを保持するレーザ光ＬＢ２によって、記録マークを記録又は再生可能な記録層である。尚、第２記録層１０２においては、レーザ光ＬＢ２を反射可能な全反射膜が積層されるように構成してもよい。ここに、第１実施例に係るレーザ光ＬＢ２は、例えば波長が６５０ｎｍである赤色レーザ光や、赤外光等の相対的に長い波長のレーザ光である。また、中間層１０３は、例えば５５μｍを中心とした所定の厚みを保持している。また、ポリカーボネート層１０４、及び１０５は、例えば０．６ｍｍの厚さを夫々有すように構成してもよい。
【００６９】
また、本実施例に係る光ディスク１００は、２層片面、即ち、デュアルレイヤに限定されるものではなく、２層両面、即ちデュアルレイヤーダブルサイドであってもよい。更に、上述の如く２層の記録層を有する光ディスクに限られることなく、３層以上の多層型の光ディスクであってもよい。
【００７０】
（１−２）詳細構成
次に、図２から図６を参照して、本発明の情報記録媒体の実施例に係る光ディスクの詳細構成について説明する。ここに、図２は、本発明に係るガイドトラックが形成された記録層を備えたハイブリッド型の光ディスク等の情報記録媒体を模式的に示した概略断面図である。図３は、本発明に係るガイドトラックが形成された記録層を備えたハイブリッド型の光ディスク等の情報記録媒体を模式的に示した概略斜視図である。図４は、本発明に係るガイドトラックが形成された記録層を備えたハイブリッド型の光ディスク等の情報記録媒体を模式的に示した拡大平面図である。
【００７１】
先ず、図２及び図３に示されるように、第１記録層（以下、適宜前述したように「Ｌ０層」と称す）においては、ガイドトラックＧＴが形成されている。ここに、本願発明に係る「ガイドトラック」とは、（ｉ）例えばブルーレイ等のレーザ光ＬＢ１によって、クロック情報、又はアドレス情報を検出可能であると共に、例えばＬ０層等の第１記録層におけるトラッキング制御に基づいて、例えば赤色レーザ光等のレーザ光ＬＢ２によって、Ｌ１層等の第２記録層におけるトラッキング制御を可能とならしめる記録トラックのことである。他方、第２記録層（以下、適宜前述したように「Ｌ１層」と称す）においては、ガイドトラックが形成されていない。
【００７２】
従って、図４に示されるように、（ｉ）例えばブルーレイ等の光スポットの直径の小さなレーザ光ＬＢ１によって、トラッキング（追随）されるガイドトラックＧＴと、（ｉｉ）例えば赤色レーザ光等の光スポットの直径の大きなレーザ光ＬＢ２によって、仮想的にトラッキング（追随）される仮想的な記録トラックとを、夫々のトラックピッチに基づいて、一義的に対応させることが可能である。具体的には、レーザ光ＬＢ１におけるトラックピッチ（０．１５μｍ）と、レーザ光ＬＢ２におけるトラックピッチ（０．６μｍ）との比に基づいて、レーザ光ＬＢ１によってトラッキングされる４本のガイドトラックＧＴと、レーザ光ＬＢ２によって、仮想的にトラッキングされる１本の仮想的な記録トラックとを一義的に対応させることが可能である。
【００７３】
（１−３）ガイドトラックと仮想的な記録トラックとの対応関係
続いて、図５及び図６を参照して、例えばブルーレイ等のレーザ光ＬＢ１によって、トラッキングされるガイドトラックＧＴと、（ｉｉ）例えば赤色レーザ光等のレーザ光ＬＢ２によって、仮想的にトラッキングされる仮想的な記録トラックとの対応関係の一具体例について説明する。ここに、図５は、本発明に係る第１記録層（Ｌ０層）のガイドトラックと、第２記録層（Ｌ１層）の仮想的な記録トラックにおける記録線分との対応関係を図式的に示した模式図である。図６は、本発明に係る第１記録層（Ｌ０層）のガイドトラックＧＴと、第２記録層（Ｌ１層）の仮想的な記録トラックとの記録又は再生方向を図式的に示した一の模式図（図６（ａ））、及び他の模式図（図６（ｂ））である。尚、図５中、点線は、レーザ光ＬＢ１によって、第１記録層（Ｌ０層）において、追随されるガイドトラックＧＴを示し、太線は、レーザ光ＬＢ２によって、第２記録層（Ｌ１層）において、追随される仮想的な記録トラックを示す。
【００７４】
図５に示されるように、（ｉ）レーザ光ＬＢ１によってトラッキングされる４本のガイドトラックＧＴ、即ち、トラック番号が「Ｎ（但しＮは自然数）」、「Ｎ＋１」、「Ｎ＋２」、「Ｎ＋３」であるガイドトラックＧＴと、（ｉｉ）レーザ光ＬＢ２によって、仮想的にトラッキングされる１本の仮想的な記録トラックのうち、４つの記録領域、即ち、第１エリアＡ１、第２エリアＡ２、第３エリアＡ３、及び第４エリアＡ４によって分断された４つの記録線分とを一義的に対応させることが可能である。
【００７５】
詳細には、図５（ａ）に示されるように、レーザ光ＬＢ１が、第１記録層（Ｌ０層）のトラック番号「Ｎ」のガイドトラックＧＴ（図５（ａ）中の点線を参照）を追随している場合には、レーザ光ＬＢ２が、第２記録層（Ｌ１層）の仮想的な記録トラックのうち、第１エリアＡ１によって分断された記録線分（図５（ａ）中の太線を参照）を追随させるようにしてもよい。概ね同様にして、図５（ｂ）に示されるように、レーザ光ＬＢ１が、第１記録層（Ｌ０層）のトラック番号「Ｎ＋１」のガイドトラックＧＴ（図５（ｂ）中の点線を参照）を追随している場合には、レーザ光ＬＢ２が、第２記録層（Ｌ１層）の仮想的な記録トラックのうち、第２エリアＡ２によって分断された記録線分（図５（ｂ）中の太線を参照）を追随させるようにしてもよい。また、概ね同様にして、図５（ｃ）に示されるように、レーザ光ＬＢ１が、第１記録層（Ｌ０層）のトラック番号「Ｎ＋２」のガイドトラックＧＴ（図５（ｃ）中の点線を参照）を追随している場合には、レーザ光ＬＢ２が、第２記録層（Ｌ１層）の仮想的な記録トラックのうち、第３エリアＡ３によって分断された記録線分（図５（ｃ）中の太線を参照）を追随させるようにしてもよい。更にまた、概ね同様にして、図５（ｄ）に示されるように、レーザ光ＬＢ１が、第１記録層（Ｌ０層）のトラック番号「Ｎ＋３」のガイドトラックＧＴ（図５（ｄ）中の点線を参照）を追随している場合には、レーザ光ＬＢ２が、第２記録層（Ｌ１層）の仮想的な記録トラックのうち、第４エリアＡ４によって分断された記録線分（図５（ｄ）中の太線を参照）を追随させるようにしてもよい。
【００７６】
より詳細には、図６（ａ）に示されるように、Ｌ０層の記録再生方向と、Ｌ１層の記録再生方向が、逆方向であるオポジット方式の下では、上述したＬ０層のガイドトラックＧＴにおける、トラック番号が、「Ｎ」、「Ｎ＋１」、「Ｎ＋２」、「Ｎ＋３」と大きくなり、追随位置が外周側へ移動するにつれて、Ｌ１層における仮想的な記録トラックにおける追随位置が内周側へ移動するようにしてもよい。或いは、図６（ｂ）に示されるように、Ｌ０層の記録再生方向と、Ｌ１層の記録再生方向が、同じ方向であるパラレル方式の下では、上述したＬ０層のガイドトラックＧＴにおける、トラック番号が、「Ｎ」、「Ｎ＋１」、「Ｎ＋２」、「Ｎ＋３」と大きくなり、追随位置が外周側へ移動するにつれて、Ｌ１層における仮想的な記録トラックにおける追随位置も外周側へ移動するようにしてもよい。
【００７７】
尚、本実施例では、レーザ光ＬＢ１におけるトラックピッチ（０．１５μｍ）と、レーザ光ＬＢ２におけるトラックピッチ（０．６μｍ）との比、即ち、「１対４」に基づいて、対応関係を決定しているが、例えば「1対６」や「１対４の整数倍（２以上の自然数）」等の他の比に基づいて、対応関係を決定するようにしてもよい。具体的には、「１対８（４の２倍）」の比に基づいて、対応関係を決定した場合、（ｉ）レーザ光ＬＢ１によってトラッキングされる４本のガイドトラックＧＴ、即ち、トラック番号が「Ｎ（但しＮは自然数）」、「Ｎ＋１」、「Ｎ＋２」、「Ｎ＋３」であるガイドトラックＧＴと、（ｉｉ）レーザ光ＬＢ２によって、仮想的にトラッキングされる１本の仮想的な記録トラックのうち、光ディスクにおいて８つに分割された、８つの記録領域によって分断された８つの記録線分のうち２つずつまとめた記録線分の組（即ち、４つの記録線分の組）とを一義的に対応させるようにしてもよい。尚、比に基づいた対応関係は、記録領域の全体において、平均的に実現されていてもよい。或いは、整数で近似的に示される比に基づいて、対応関係を決定するようにしてもよい。
【００７８】
特に、比が例えば「１対１６」、・・・、「１対１２」、・・・、「１対８」、・・等のように小さく設定すればするほど、記録情報のリンキングのための記録線分を少なくさせることができるので、対応関係に基づいた、より効率的なガイドトラックＧＴ、又は仮想的な記録トラックの利用を実現することが可能となる。他方、「１対８」、・・・、「１対１２」、・・・、「１対１６」、・・等のように大きく設定すればするほど、より高精度の対応関係に基づいたＬ０層及びＬ１層の記録又は再生動作を実現することが可能となる。
【００７９】
（２）情報処理装置
次に、図７から図１１を参照して、本発明の情報処理装置の実施例について詳細に説明する。特に、本実施例は、本発明に係る情報処理装置を光ディスク用の情報記録再生装置に適用した例である。
【００８０】
（２−１）基本構成
先ず、図７を参照して、本発明に係る実施例における情報記録再生装置３００及び、ホストコンピュータ４００の基本構成について説明する。ここに、図７は、本発明の実施例に係る情報記録再生装置、及び、ホストコンピュータの基本構成を示したブロック図である。図８は、本発明の実施例に係る情報記録再生装置における２種類の光路を図式的に示した模式図である。図９は、図８における、例えばフォトディテクタ等の受光手段の一具体例を図式的に示した平面図（図９（ａ））、及び、一変形例を図式的に示した模式図（図９（ｂ））。尚、情報記録再生装置３００は、光ディスク１００に記録データを記録する機能と、光ディスク１００に記録された記録データを再生する機能とを備える。
【００８１】
図７を参照して情報記録再生装置３００の内部構成を説明する。情報記録再生装置３００は、ドライブ用のＣＰＵ（Central Processing Unit）３０５の制御下で、光ディスク１００に情報を記録すると共に、光ディスク１００に記録された情報を読み取る装置である。
【００８２】
情報記録再生装置３００は、光ディスク１００、光ピックアップ３０１、信号記録再生手段３０２、アドレス検出部３０３、アドレス演算部３０４、ＣＰＵ（ドライブ制御手段）３０５、スピンドルモータ３０６、メモリ３０７、データ入出力制御手段３０８、及びバス３０９を備えて構成されている。
【００８３】
また、ホストコンピュータ４００は、ＣＰＵ（ホスト制御手段）４０１、メモリ４０２、操作制御手段４０３、操作ボタン４０４、表示パネル４０５、データ入出力制御手段４０６、及びバス４０７を備えて構成される。
【００８４】
特に、情報記録再生装置３００は、例えばモデム等の通信手段を備えたホストコンピュータ４００を同一筐体内に収めることにより、外部ネットワークと通信可能となるように構成してもよい。或いは、例えばｉ−ｌｉｎｋ等の通信手段を備えたホストコンピュータ４００のＣＰＵ（ホスト制御手段）４０５が、データ入出力制御手段３０８、及びバス３０９を介して、直接的に、情報記録再生装置３００を制御することによって、外部ネットワークと通信可能となるように構成してもよい。
【００８５】
光ピックアップ３０１は光ディスク１００への記録や再生を行うもので、半導体レーザ装置とレンズから構成される。より詳細には、光ピックアップ３０１は、光ディスク１００に対してブルーレイ（Blue-ray）、赤色レーザ光、又は、赤外光等の光ビームを、再生時には読み取り光として再生レベルのレーザパワーで照射し、記録時には書き込み光として記録レベルのレーザパワーで且つ変調させながら照射する。
【００８６】
信号記録再生手段３０２は、光ピックアップ３０１とスピンドルモータ３０６とを制御することで光ディスク１００に対して記録や再生を行う。具体的には、信号記録再生手段３０２は、図８に示されるように、（ｉ）例えば青色ＬＤ（レーザダイオード）３０２ｂ、及び赤色ＬＤ（レーザダイオード）３０２ｒ等の半導体レーザを駆動するレーザダイオードドライバ（ＬＤドライバ）３０２ＬＤ、（ｉｉ）例えば二分割されたフォトディテクタ３０２ｆ、及び、図示しないヘッドアンプ等によって構成されている。
【００８７】
信号記録再生手段３０２内のレーザ光ＬＢ１及びＬＢ２の光路について説明する。例えばブルーレイ等のレーザ光ＬＢ１が、青色ＬＤ３０２ｂから射出され、反射板Ｍｉｒ１、及び、偏光ビームスプリッタ（Polarizing Beam Splitter）ＰＢＳを介して、Ｌ０層に形成されたガイドトラックに照射される。そして、Ｌ０層において反射されたレーザ光ＬＢ１は、偏光ビームスプリッタＰＢＳを介して、フォトディテクタ３０２ｆによって受光される。同様にして、例えば赤色ＬＤ光等のレーザ光ＬＢ２が、赤色ＬＤ３０２ｒから射出され、反射板Ｍｉｒ２、及び、偏光ビームスプリッタＰＢＳを介して、Ｌ１層における仮想的な記録トラックに照射される。そして、Ｌ１層において反射されたレーザ光ＬＢ２は、偏光ビームスプリッタＰＢＳを介して、フォトディテクタ３０２ｆによって受光される。
【００８８】
特に、例えば１２分割されたフォトディテクタ３０２ｆにおいて夫々受光される光量（或いは、位相）の差が検出されることで、Ｌ０層におけるトラッキング制御が行われる。そして、Ｌ０層におけるトラッキング制御に基づいて、Ｌ１層における仮想的なトラッキング制御を行うことが可能である。尚、フォトディテクタ３０２ｆは、図９（ａ）に示されるように、レーザ光ＬＢ１用の受光領域と、レーザ光ＬＢ２用の受光領域とを備えるようにしてもよい。また、図９（ｂ）に示されるように、偏光ビームスプリッタＰＢＳ２を介して光路が分けられ、レーザ光ＬＢ１がフォトディテクタ３０２ｆｂによって受光されると共に、レーザ光ＬＢ２がフォトディテクタ３０２ｆｒによって受光されるようにしてもよい。
【００８９】
また、図示しないヘッドアンプは、光ピックアップ３０１の出力信号、即ち、光ビームの反射光を増幅し、該増幅した信号を出力する。詳細には、信号記録再生手段３０２は、例えばＯＰＣ（Optimum Power Control）処理時には、ＣＰＵ３０５の制御下で、図示しないタイミング生成器等と共に、ＯＰＣパターンの記録及び再生処理により最適なレーザパワーの決定が行えるように、光ピックアップ３０１内に設けられた図示しない半導体レーザを駆動する。
【００９０】
上述したように、信号記録再生手段３０２は、光ピックアップ３０１と共に、本発明に係る「記録手段」、「再生手段」、及び「記録再生手段」の一例を構成する。
【００９１】
ＣＰＵ（ドライブ制御手段）３０５は、バス３０９を介して、各種手段に指示を行うことで、情報記録再生装置３００全体の制御を行う。また、ＣＰＵ３０５が動作するためのソフトウェア又はファームウェアは、メモリ３０７に格納されている。尚、ＣＰＵ（ドライブ制御手段）３０５は、後述されるＣＰＵ（ホスト制御手段）４０１と共に、本発明に係る「トラッキング制御手段」の一例を構成する。
【００９２】
スピンドルモータ３０６は光ディスク１００を回転及び停止させるもので、光ディスクへのアクセス時に動作する。より詳細には、スピンドルモータ３０６は、図示しないサーボユニット等によりスピンドルサーボを受けつつ所定速度で光ディスク１００を回転及び停止させるように構成されている。
【００９３】
メモリ３０７は、記録データや再生データのバッファ領域や、信号記録再生手段３０２で使用出来るデータに変換する時の中間バッファとして使用される領域など情報記録再生装置３００におけるデータ処理全般及びＯＰＣ処理において使用される。また、メモリ３０７はこれらレコーダ機器としての動作を行うためのプログラム、即ちファームウェアが格納されるＲＯＭ領域と、記録再生データの一時格納用バッファや、ファームウェアプログラム等の動作に必要な変数が格納されるＲＡＭ領域などから構成される。
【００９４】
データ入出力制御手段３０８は、情報記録再生装置３００に対する外部からのデータ入出力を制御し、メモリ３０７上のデータバッファへの格納及び取り出しを行う。情報記録再生装置３００と、ＳＣＳＩやＡＴＡＰＩ等のインターフェースを介して接続されている外部のホストコンピュータ４００（以下、適宜ホストと称す）から発行されるドライブ制御命令は、当該データ入出力制御手段３０８を介してＣＰＵ３０５に伝達される。また、記録データや再生データも同様にして、当該データ入出力制御手段３０８を介して、ホストコンピュータ４００に対して送受信される。
【００９５】
ホストコンピュータ４００における、ＣＰＵ（ホスト制御手段）４０１、メモリ４０２、データ入出力制御手段４０６、及びバス４０７は、これらに対応される、情報記録再生装置３００内の構成要素と、概ね同様である。
【００９６】
特に、操作制御手段４０３は、ホストコンピュータ４００に対する動作指示受付と表示を行うもので、例えば記録又は再生といった操作ボタン４０４による指示をＣＰＵ４０１に伝える。ＣＰＵ４０１は、操作制御手段４０３からの指示情報を元に、データ入出力手段４０６を介して、情報記録再生装置３００に対して制御命令（コマンド）を送信し、情報記録再生装置３００全体を制御するように構成してもよい。同様に、ＣＰＵ４０１は、情報記録再生装置３００に対して、動作状態をホストに送信するように要求するコマンドを送信することができる。これにより、記録中や再生中といった情報記録再生装置３００の動作状態が把握できるためＣＰＵ４０１は、操作制御手段４０３を介して蛍光管やＬＣＤなどの表示パネル４０５に情報記録再生装置３００の動作状態を出力することができる。
【００９７】
以上説明した、情報記録再生装置３００とホストコンピュータ４００を組み合わせて使用する一具体例は、映像を記録再生するレコーダ機器等の家庭用機器である。このレコーダ機器は放送受信チューナや外部接続端子からの映像信号をディスクに記録し、テレビなど外部表示機器にディスクから再生した映像信号を出力する機器である。メモリ４０２に格納されたプログラムをＣＰＵ４０１で実行させることでレコーダ機器としての動作を行っている。また、別の具体例では、情報記録再生装置３００はディスクドライブ（以下、適宜ドライブと称す）であり、ホストコンピュータ４００はパーソナルコンピュータやワークステーションである。パーソナルコンピュータ等のホストコンピュータとドライブはＳＣＳＩやＡＴＡＰＩといったデータ入出力制御手段３０８（４０６）を介して接続されており、ホストコンピュータにインストールされているライティングソフトウェア等のアプリケーションが、ディスクドライブを制御する。
【００９８】
（２−２）記録又は再生動作（記録又は再生方法）
次に、図１０を参照して、本発明の情報記録媒体に対する、情報記録再生装置（情報処理装置）による記録又は再生動作、即ち、本発明の情報記録媒体の記録又は再生方法について説明する。ここに、図１０は、本発明の情報記録媒体に対する、情報記録再生装置による記録又は再生動作の一具体例を示したフローチャートである。
【００９９】
図１０に示されるように、光ディスク１００が装着されると、ＣＰＵ３０５等の制御手段の制御下で、光ピックアップ３０１や信号記録再生手段３０２等の読出手段によって、初期動作として、例えばコントロールデータゾーン等の管理情報記録領域に記録された、各種に管理情報が取得される（ステップＳ１０１）。
【０１００】
次に、ＣＰＵ３０５等の制御手段の制御下で、Ｌ０層に形成されたガイドトラックに例えばブルーレイ等のレーザ光ＬＢ１が照射されトラッキング制御が行われる（ステップＳ１０２）。
【０１０１】
ステップＳ１０２と同時に、又は、相前後して、ＣＰＵ３０５等の制御手段の制御下で、Ｌ１層に、例えば赤色ＬＤ光等のレーザ光ＬＢ２が照射されフォーカシング制御が行われる（ステップＳ１０３）。
【０１０２】
ステップＳ１０２、及びステップＳ１０３と同時に、又は、相前後して、ＣＰＵ３０５等の制御手段の制御下で、少なくともＬ１層において、情報の記録又は再生を行うか否かが判定される（ステップＳ１０４）。ここで、情報の記録又は再生を行う場合（ステップＳ１０４：Ｙｅｓ）、ＣＰＵ３０５等の制御手段の制御下で、少なくともＬ１層に、例えば赤色ＬＤ光等のレーザ光ＬＢ２が照射され、情報の記録又は再生が行われる（ステップＳ１０５）。他方、情報の記録又は再生を行わない場合（ステップＳ１０４：Ｎｏ）、再度、情報の記録又は再生を行うか否かが判定されるようにしてもよい（ステップＳ１０４）。
【０１０３】
次に、ＣＰＵ３０５等の制御手段の制御下で、記録又は再生動作を終了するか否かが判定される（ステップＳ１０６）。ここで、記録又は再生動作を終了する場合（ステップＳ１０６：Ｙｅｓ）、一連の処理は終了される。他方、記録又は再生動作を終了しない場合（ステップＳ１０６：Ｎｏ）、再度、情報の記録又は再生が行われる（ステップＳ１０５）。
【０１０４】
（３）本発明の情報記録媒体の第２から第６実施例
次に、本発明の情報記録媒体の第２から第６実施例について説明する。
【０１０５】
（３−１）第２から第６実施例に係る情報記録媒体の詳細構成
図１１を参照して、本発明の情報記録媒体の第２から第６実施例に係る詳細構成について説明する。ここに、図１１は、本発明の情報記録媒体に係る第２から第６実施例において、ガイドトラックが形成される記録層を中心とした基本構成を示したテーブルである。尚、第２から第６実施例に係る基本構成、及び記録又は再生方法は、前述の第１実施例と概ね同様であるので説明は省略する。
【０１０６】
図１１に示されるように、本発明の情報記録媒体に係る第２実施例においては、第１実施例とはガイドトラックが形成される記録層が異なり、例えば赤色ＬＤ等のレーザ光ＬＢ２が照射されるＤＶＤ等の第２記録層（Ｌ１層）においては、ガイドトラックが形成されている。他方、例えばブルーレイ等のレーザ光ＬＢ１が照射されるＢＤ等の第１記録層（Ｌ０層）においては、ガイドトラックが形成されていない。従って、前述した図５における説明とは反対に、例えば（ｉ）レーザ光ＬＢ２によって、トラッキングされる１本のガイドトラックのうち、４つの記録領域、即ち、第１エリアＡ１、第２エリアＡ２、第３エリアＡ３、及び第４エリアＡ４によって分断された４つの記録線分と、（ｉｉ）レーザ光ＬＢ１によって仮想的にトラッキングされる４本の仮想的な記録トラック、即ち、トラック番号が「Ｎ（但しＮは自然数）」、「Ｎ＋１」、「Ｎ＋２」、「Ｎ＋３」である仮想的な記録トラックとを一義的に対応させることが可能である。
【０１０７】
また、図１１に示されるように、本発明の情報記録媒体に係る第３及び第４実施例においては、第１実施例とは基本構成が異なり、例えば赤色ＬＤ等のレーザ光ＬＢ２が照射されるＤＶＤ等が光ピックアップ側（手前側）の第１記録層（Ｌ０層）であり、例えばブルーレイ等のレーザ光ＬＢ１が照射されるＢＤ等が光ピックアップの奥側（奥側）の第２記録層（Ｌ１層）である。そして、第３実施例では、第１記録層（Ｌ０層）において、ガイドトラックが形成され、第４実施例では、第２記録層（Ｌ１層）において、ガイドトラックが形成されている。従って、第３実施例では、第２実施例と同様にして、（ｉ）レーザ光ＬＢ２によって、トラッキングされる１本のガイドトラックのうち、分断された４つの記録線分と、（ｉｉ）レーザ光ＬＢ１によって仮想的にトラッキングされる４本の仮想的な記録トラックとを一義的に対応させることが可能である。また、第４実施例では、第１実施例と同様にして、（ｉ）レーザ光ＬＢ１によってトラッキングされる４本のガイドトラックと、（ｉｉ）レーザ光ＬＢ２によって、仮想的にトラッキングされる１本の仮想的な記録トラックのうち、分断された４つの記録線分とを一義的に対応させることが可能である。
【０１０８】
また、図１１に示されるように、本発明の情報記録媒体に係る第５及び第６実施例においては、第１実施例を発展させ、３つの記録層を備えて構成されている。第５実施例では、レーザ光ＬＢ２によって記録又は再生可能な、例えばＤＶＤ等の第３記録層を備えて構成されている。第６実施例では、レーザ光ＬＢ１及びＬＢ２とは異なる３種類目のレーザ光である、例えば赤外光等のレーザ光によって記録又は再生可能な、例えばＣＤ等の第３記録層を備えて構成されている。
【０１０９】
（４）本発明の情報記録媒体の第７実施例
次に、本発明の情報記録媒体の第７実施例について説明する。
【０１１０】
（４−１）管理情報
先ず、図１２を参照して、第７実施例に係る管理情報の一具体例について説明する。ここに、図１２は、本発明の情報記録媒体の第７実施例に係る、例えばＬ０層等の一方の記録層において、ガイドトラックが形成されているか否かを示す識別情報（フラグ）等を含む管理情報を示したテーブルである。
【０１１１】
図１２に示されるように、例えば第１記録層（Ｌ０層）又は第２記録層（Ｌ１層）の記録領域の一部であるコントロールデータゾーン（即ち、本発明に係る「識別情報記録領域」の一具体例）に記録される管理情報は、（ｉ）２層型、又は単層型であることを示す情報、（ｉｉ）第１記録層（Ｌ０層）において、本発明に係るガイドトラックが形成されているか否かを示す識別情報（フラグ）、及び（ｉｉｉ）第２記録層（Ｌ１層）において、本発明に係るガイドトラックが形成されているか否かを示す識別情報（フラグ）を含むようにしてもよい。
【０１１２】
この結果、例えばＤＶＤレコーダー等の情報記録再生装置（情報処理装置）は、記録又は再生対象となる情報記録媒体においてガイドトラックが形成されているかを、迅速且つ的確に識別して、当該情報記録媒体を迅速且つ的確に記録又は再生することが可能となる。
【０１１３】
上述した第１から第７実施例によれば、複数の記録層を備える情報記録媒体の構造を簡略化することが可能であるので、製造工程を簡略化させて、製造コストが低くすることが可能である。更に、一つ（一方）の記録層に形成されたガイドトラックを基準として、複数の記録層における情報の記録又は再生を、偏芯やトラックピッチの偏差等の物理的誤差の影響を受けることなく、高精度に行うことが可能である。加えて、複数種類のレーザ光による、情報の記録又は再生を、略（実質的に）同時に又は相前後して、行うことが可能である。
【０１１４】
上述した実施例では、情報記録媒体の一具体例として、例えばブルーレイ、赤色ＬＤ光、又は赤外光等の複数種類のレーザ光によって記録又は再生が可能な、２層又は３層ハイブリッド型の光ディスクについて説明した。加えて、本発明は、例えば、４層以上の記録層を備える多層型（マルチプルレイヤ型）の光ディスクにも適用可能である。更に、他の高密度記録或いは高転送レート対応の各種の情報記録媒体にも適用可能である。
【０１１５】
また、上述した実施例では、情報処理装置の一具体例として、例えば、２層又は３層ハイブリッド型の光ディスクに対応した情報記録再生装置について説明した。加えて、本発明は、例えば、４層以上の記録層を備える多層型（マルチプルレイヤ型）の光ディスクに対応した情報記録再生装置にも適用可能である。更に、他の高密度記録或いは高転送レート対応の各種の情報記録媒体に対応した情報記録再生装置にも適用可能である。
【０１１６】
本発明は、上述した実施例に限られるものではなく、請求の範囲及び明細書全体から読み取れる発明の要旨或いは思想に反しない範囲で適宜変更可能であり、そのような変更を伴う、情報記録媒体、情報処理装置及び方法、並びに、処理制御用のコンピュータプログラムもまた本発明の技術的範囲に含まれるものである。
【図面の簡単な説明】
【０１１７】
【図１】本発明の情報記録媒体の第１実施例に係る光ディスク１００の基本構成を示した概略平面図（図１（ａ））、及び、切断面「Ｘ」における該光ディスクの概略断面図（図１（ｂ））である。
【図２】本発明に係るガイドトラックが形成された記録層を備えたハイブリッド型の光ディスク等の情報記録媒体を模式的に示した概略断面図である。
【図３】本発明に係るガイドトラックが形成された記録層を備えたハイブリッド型の光ディスク等の情報記録媒体を模式的に示した概略斜視図である。
【図４】本発明に係るガイドトラックが形成された記録層を備えたハイブリッド型の光ディスク等の情報記録媒体を模式的に示した拡大平面図である。
【図５】本発明に係る第１記録層（Ｌ０層）のガイドトラックと、第２記録層（Ｌ１層）の仮想的な記録トラックにおける記録線分との対応関係を図式的に示した模式図である。
【図６】本発明に係る第１記録層（Ｌ０層）のガイドトラックＧＴと、第２記録層（Ｌ１層）の仮想的な記録トラックとの記録又は再生方向を図式的に示した一の模式図（図６（ａ））、及び他の模式図（図６（ｂ））である。
【図７】本発明の実施例に係る情報記録再生装置、及び、ホストコンピュータの基本構成を示したブロック図である。
【図８】本発明の実施例に係る情報記録再生装置における２種類の光路を図式的に示した模式図である。
【図９】図８における、例えばフォトディテクタ等の受光手段の一具体例を図式的に示した平面図（図９（ａ））、及び、一変形例を図式的に示した模式図（図９（ｂ））。
【図１０】本発明の情報記録媒体に対する、情報記録再生装置による記録又は再生動作の一具体例を示したフローチャートである。
【図１１】本発明の情報記録媒体に係る第２から第６実施例において、ガイドトラックが形成される記録層を中心とした基本構成を示したテーブルである。
【図１２】本発明の情報記録媒体の第７実施例に係る、例えばＬ０層等の一方の記録層において、ガイドトラックが形成されているか否かを示す識別情報（フラグ）等を含む管理情報を示したテーブルである。
【符号の説明】
【０１１８】
１００…光ディスク、３００…情報記録再生装置、３０１…光ピックアップ、３０２…信号記録再生手段、３０２ＬＤ…レーザダイオードドライバ（ＬＤドライバ）、３０２ｆ（３０２ｆｂ、３０２ｆｒ）…フォトディテクタ、Ｍｉｒ１（Ｍｉｒ２）…反射板、ＰＢＳ…偏光ビームスプリッタ（Polarizing Beam Splitter）、３０５…ＣＰＵ（ドライブ制御手段）、３０６…スピンドルモータ、３０７（４０２）…メモリ、３０８（４０６）…データ入出力制御手段、３０９（４０７）…バス、４００…ホストコンピュータ、４０１…ＣＰＵ（ホスト用）、４０３…操作制御手段、４０４…操作ボタン、４０５…表示パネル、ＬＢ１（ＬＢ２）…レーザ光、ＧＴ…ガイドトラック
【図１】
2007048404.tif 000003
【図２】
2007048404.tif 000004
【図３】
2007048404.tif 000005
【図４】
2007048404.tif 000006
【図５】
2007048404.tif 000007
【図６】
2007048404.tif 000008
【図７】
2007048404.tif 000009
【図８】
2007048404.tif 000010
【図９】
2007048404.tif 000011
【図１０】
2007048404.tif 000012
【図１１】
2007048404.tif 000013
【図１２】
2007048404.tif 000014